(57)【要約】【課題】コモンモードノイズが小さく、外径が小さく、かつ、エイリアンクロストークを防止できるＬＡＮケーブルを提供する。【解決手段】一対または複数対の対撚線２と、その周囲を一括して覆うように設けられたシース３と、を備えた無遮蔽のＬＡＮケーブルにおいて、シース３が、水酸化ニッケルを配合質量比２５％以上６０％以下含む樹脂からなる。【選択図】図１
2013145673.tif 000002
【特許請求の範囲】
【請求項１】
一対または複数対の対撚線と、その周囲を一括して覆うように設けられたシースと、を備えた無遮蔽のＬＡＮケーブルにおいて、
前記シースが、水酸化ニッケルを配合質量比２５％以上６０％以下含む樹脂からなる
ことを特徴とするＬＡＮケーブル。
【請求項２】
前記シースの使用周波数帯域における比透磁率が５以上である
請求項１記載のＬＡＮケーブル。
【請求項３】
前記シースの酸素指数が、２１以上である
請求項１または２記載のＬＡＮケーブル。
【請求項４】
前記シースに、水酸化マグネシウム、水酸化アルミニウムの一方または両方をさらに配合し、前記シースの酸素指数を２５以上とした
請求項１〜３いずれかに記載のＬＡＮケーブル。
【発明の詳細な説明】
【技術分野】
【０００１】
本発明は、ＬＡＮケーブルに関するものである。
【背景技術】
【０００２】
図８に示すように、従来より、一対または複数対の対撚線８２の周囲に、金属遮蔽体（シールド）８３とシース８４を順次設けたＦＴＰ（Foiled Twisted Pair Cable）と呼ばれるＬＡＮケーブル８１が知られている（例えば、特許文献１参照）。なお、図８では、図の簡略化のため、一対の対撚線８２のみを示している。
【０００３】
ＬＡＮケーブル８１では、外径（ケーブル外径）が小さく、エイリアンクロストーク（Alien-XT）も小さいので、ケーブルトレイに敷設できるケーブル本数が多く敷設占積率が高いというメリットがある。しかし、金属遮蔽体８３に浮遊誘導される誘導電圧のために、伝送装置受信機で受信するコモンモードノイズが大きくなってしまい、多値変調信号・復調信号がノイズに埋もれ、必要な伝送容量を確保できなくなってしまうという問題がある。なお、エイリアンクロストークとは、隣接する他のケーブルから受ける漏話のことである。
【０００４】
ここで、ＬＡＮケーブル８１でエイリアンクロストークを防止できる理由、および、コモンモードノイズが大きくなってしまう理由について具体的に説明しておく。
【０００５】
対撚線８２は、差動信号を伝送するので、対撚線８２を構成する２つの被覆線（被覆体）８５には逆相の電流が流れ（図８では×、・として表している）、対撚線８２で高周波電磁界（高周波交番電磁界）が発生する。ＬＡＮケーブル８１では、この対撚線８２で発生する高周波電磁界が金属遮蔽体８３に遮られ、金属遮蔽体８３の対撚線８２側の表面（渦電流スキン厚部分）にほぼ全量の高周波電流が流れる。なお、金属遮蔽体８３としてアルミニウムからなるもの（アルミフォイル等）を用いる場合、周波数１００ＭＨｚでのスキン厚は約６μｍである。そのため、隣接するＬＡＮケーブル８１の対撚線８２に誘導電磁界が届かないか、あるいは、届いたとしたも大きく減衰し、エイリアンクロストークが存在しない程度に小さくなる。ＬＡＮケーブル８１では、金属遮蔽体８３によりエイリアンクロストークを低減できるため、隣接するＬＡＮケーブル８１の対撚線８２間の距離を大きくする必要がなく、外径を小さくすることが可能である。
【０００６】
他方、このＬＡＮケーブル８１では、上述のように、対撚線８２で発生する高周波電磁界が金属遮蔽体８３に遮られ、ほぼ全量の高周波電流が金属遮蔽体８３に流れるために、金属遮蔽体８３に誘導される浮遊電圧が大きい。この浮遊電圧がコモンモードノイズとして受信機に誘導され、多値変調信号の識別レベルを超えるノイズとなってしまう。
【０００７】
図９に示すように、一般に、ＦＴＰは金属遮蔽体８３の無いＵＴＰ（Unshielded Twisted Pair Cable）と比較して、コモンモードノイズが非常に大きい。そのため、従来のＬＡＮケーブル８１では、必要周波数帯域が十分に確保できず、１０ＧＢＡＳＥ−Ｔ（対撚線を使用する１０Ｇｂ/ｓ−Ｅ伝送）の伝送容量を符号誤り補償なしに確保することは困難である。
【０００８】
したがって、１０ＧＢＡＳＥ−Ｔの伝送容量を符号誤り補償なしに確保するためには、コモンモードノイズを発生する金属遮蔽体８３を備えないＵＴＰと呼ばれる無遮蔽（非シールド）のＬＡＮケーブルを用いることが望ましい。
【０００９】
ＵＴＰと呼ばれるＬＡＮケーブルとしては、図１０に示すＬＡＮケーブル１０１のように、一対または複数対の対撚線８２の周囲を一括して覆うようにシース８４を設けたもの（つまり、図８のＬＡＮケーブル８１で金属遮蔽体８３を省略したもの）や、図１１に示すＬＡＮケーブル１１１のように、シース８４の内側にさらに断面矩形状の突起１１２を設けたものが一般に知られている。
【先行技術文献】
【特許文献】
【００１０】
【特許文献１】特開２０１１−１９８６３４号公報
【発明の概要】
【発明が解決しようとする課題】
【００１１】
しかしながら、図１０のＬＡＮケーブル１０１では、外形が小さく、コモンモードノイズを小さくできるものの、複数のＬＡＮケーブル１０１を束ねて配線すると、対撚線８２で発生する高周波電磁界が、隣接するＬＡＮケーブル１０１の対撚線８２に届いてしまい、エイリアンクロストークを問題ないレベルまで小さくできず、エイリアンクロストーク特性を満足できないという問題がある。
【００１２】
図１１のＬＡＮケーブル１１１では、突起１１２とその周囲の空気で構成される低誘電率層の影響により、図１０のＬＡＮケーブル１０１と比較してシース８２を流れる縦電流Ｉｓが減衰された状態となり、また、突起１１２を設けることにより隣接するＬＡＮケーブル１１１の対撚線８２との距離が大きくなるので、対撚線８２で発生する高周波電磁界を大きく減衰して、エイリアンクロストークを問題ないレベルまで小さくできる。
【００１３】
しかし、図１１のＬＡＮケーブル１１１では、突起１１２の高さが低いと、対撚線８２で発生する高周波電磁界が隣接するＬＡＮケーブル１１１の対撚線８２に届いてしまい、エイリアンクロストークを防止できなくなる。よって、図１１のＬＡＮケーブル１１１では、エイリアンクロストークを防止するために、突起１１２の高さ（突起１１２による等価シース厚）を大きくする必要があり、外径（ケーブル外径）が大きくなってしまうという問題がある。外径が大きくなると、敷設ダクトやケーブルトレイ内に敷設できるケーブル本数が少なくなり敷設占積率が悪化してしまうので、経済的でなく市場需要が低くなるという問題が生じる。
【００１４】
本発明は上記事情に鑑み為されたものであり、コモンモードノイズが小さく、外径が小さく、かつ、エイリアンクロストークを防止できるＬＡＮケーブルを提供することを目的とする。
【課題を解決するための手段】
【００１５】
本発明は上記目的を達成するために創案されたものであり、一対または複数対の対撚線と、その周囲を一括して覆うように設けられたシースと、を備えた無遮蔽のＬＡＮケーブルにおいて、前記シースが、水酸化ニッケルを配合質量比２５％以上６０％以下含む樹脂からなるＬＡＮケーブルである。
【００１６】
前記シースの使用周波数帯域における比透磁率が５以上であるとよい。
【００１７】
前記シースの酸素指数が、２１以上であるとよい。
【００１８】
前記シースに、水酸化マグネシウム、水酸化アルミニウムの一方または両方をさらに配合し、前記シースの酸素指数を２５以上としてもよい。
【発明の効果】
【００１９】
本発明によれば、コモンモードノイズが小さく、外径が小さく、かつ、エイリアンクロストークを防止できるＬＡＮケーブルを提供できる。
【図面の簡単な説明】
【００２０】
【図１】本発明の一実施の形態に係るＬＡＮケーブルを示す図であり、（ａ）は横断面図、（ｂ）はその動作を説明する図である。
【図２】本発明において、シースにおける水酸化ニッケルの配合質量比に対するシースの比透磁率、およびシースの破断伸びの関係を示すグラフ図である。
【図３】本発明において、シースにおける水酸化ニッケルの配合質量比を４０％としたときのシースの比透磁率の周波数特性を示すグラフ図である。
【図４】本発明において、シースにおける金属水酸化物の配合質量比に対する酸素指数の関係を示すグラフ図である。
【図５】本発明において、ＰＳＡＡＣＲＦ（Power Sum Attenuation to Alien Crosstalk Ratio Far-end）の周波数特性を示すグラフ図である。
【図６】本発明において、ＰＳＡＡＣＲＦの測定方法を説明する図である。
【図７】本発明の他の実施の形態に係るＬＡＮケーブルを示す横断面図である。
【図８】従来のＬＡＮケーブル（ＦＴＰ）を示す図である。
【図９】ＵＴＰとＦＴＰのコモンモードノイズの周波数特性を示すグラフ図である。
【図１０】従来のＬＡＮケーブル（ＵＴＰ）を示す図である。
【図１１】従来のＬＡＮケーブル（シース内側に突起を形成したＵＴＰ）を示す図である。
【発明を実施するための形態】
【００２１】
以下、本発明の実施の形態を添付図面にしたがって説明する。
【００２２】
図１は、本実施の形態に係るＬＡＮケーブルを示す図であり、（ａ）は横断面図、（ｂ）はその動作を説明する図である。
【００２３】
図１（ａ），（ｂ）に示すように、ＬＡＮケーブル１は、一対または複数対の対撚線２と、その周囲を一括して覆うように設けられたシース３と、を備えた無遮蔽（非シールド）のＬＡＮケーブルである。
【００２４】
本実施の形態に係るＬＡＮケーブル１は、４対の対撚線２を有し、ＴＩＡ／ＥＩＡ５６８−Ｃ−２  Ｃａｔｅｇｏｒｙ６Ａ規格に適合するＵＴＰ４対ＬＡＮケーブルとして用いられるものである。なお、図１（ｂ）では、２本のＬＡＮケーブル１を隣接させて配置した場合を示しており、両ＬＡＮケーブル１において対撚線２を１対のみを示している。
【００２５】
対撚線２は、導体４を絶縁体被覆５で被覆した被覆線（被覆体）６を２本撚り合わせて形成される。本実施の形態では、外径０．６４ｍｍの銅からなる導体４に、０．２８ｍｍ厚の低密度ポリエチレンからなる絶縁体被覆５を押し出し成形した外径１．２ｍｍの被覆線６を２本撚り合わせて、対撚線２を形成した。
【００２６】
なお、２本の被覆線６を撚り合わせる際には、伝送損失規定に適合するように、出来るだけ短い撚り合わせピッチで、かつ、４対でそれぞれ異なる撚り合わせピッチとすることが望ましく、また、４対それぞれの撚り合わせピッチは、できるだけ一定の比率で異なるように設定することが望ましい。本実施の形態では、４対の対撚線２の撚り合わせピッチを、それぞれ６．３ｍｍ、７．０ｍｍ、７．８ｍｍ、８．７ｍｍに設定した。
【００２７】
また、本実施の形態では、４対の対撚線２間の離隔距離を確保するために、断面十字状の十字介在７を挿入し、十字介在７の隔壁の間にそれぞれ対撚線２を配置するようにした。この十字介在７は、約１００ｍｍの捻回ピッチで捻回されており、４対の対撚線２を撚り合わせ集合させた集合コア８を形成するようになっている。このように構成することで、複数本のＬＡＮケーブル１を束ねた際に、隣接するＬＡＮケーブル１間で撚り合わせピッチが同一の対撚線２の離隔を達成し、エイリアンクロストークを（不十分ではあるが）低減するようになっている。
【００２８】
さて、本実施の形態に係るＬＡＮケーブル１では、シース３として、水酸化ニッケルを配合質量比（質量配合比）２５％以上６０％以下含む樹脂からなるものを用いる。本実施の形態では、シース３として、水酸化ニッケルを配合質量比２５％以上６０％以下含むポリオレフィン樹脂からなるもの（ポリオレフィン／水酸化ニッケル混和物）を用いた。ポリオレフィン樹脂としては、例えばＥＥＡ（エチレン−エチルアクリレート共重合体）樹脂を用いることができる。
【００２９】
ここで、シース３における水酸化ニッケルの配合質量比に対するシース３の比透磁率（等価比透磁率）、およびシース３の破断伸びの関係を図２に示す。なお、図２では、周波数１００ＭＨｚでの比透磁率を示している。また、シース３の破断伸びは、試験方法ＡＳＴＭ  Ｄ−６３８による試験結果で、水酸化ニッケル質量比６０％までは、１００％以上の伸びを維持し、プラスチック塑性を保っているが、６０％を越えると、破断伸びは急激に減少し、シースとしてのプラスチック塑性を維持できなくなることが判る。
【００３０】
図２に示すように、シース３の比透磁率は、水酸化ニッケルの配合質量比が大きくなるほど増加し、シース３の破断伸びは、水酸化ニッケルの配合質量比が大きくなるほど減小する。
【００３１】
シース３における水酸化ニッケルの配合質量比を６０％以下とする理由は、図２に示すように、シース材料性能としての許容樹脂弾性性能として、破断伸び１００％以上を確保するためである。シース３における水酸化ニッケルの配合質量比を６０％より大きくすると、破断伸びが１００％未満となり、ＬＡＮケーブルとしての機械特性が十分に確保できなくなる。
【００３２】
他方、シース３における水酸化ニッケルの配合質量比を２５％以上とするのは、図２に示すように、使用周波数帯域（図２では１００ＭＨｚ）における比透磁率を５以上とするためである。通常のポリオレフィンシースの比透磁率は１であるため、この通常のポリオレフィンシースを用いた従来のＬＡＮケーブルでは、シースが対撚線で生じた高周波電磁界が減衰することなくシースを貫通して、隣接するＬＡＮケーブルの対撚線に電磁界が届き、電磁界結合が生じてエイリアンクロストークを発生させてしまう。
【００３３】
これに対して、本実施の形態に係るＬＡＮケーブル１では、シース３における水酸化ニッケルの配合質量比を２５％以上とし、使用周波数帯域における比透磁率を５以上としているため、シース３内における電界強度、磁界強度が通常のポリオレフィンシースと比較して５倍以上に強くなり、その結果、シース３を貫通する電磁界が減衰して、隣接するＬＡＮケーブル１の対撚線２に届く電磁界が弱くなる。
【００３４】
換言すれば、本実施の形態に係るＬＡＮケーブル１では、シース３における水酸化ニッケルの配合質量比を２５％以上とすることにより、シース３の比透磁率を大きくし、図１（ｂ）に太線破線で示す磁界減衰域Ａで磁界を減衰させて、隣接するＬＡＮケーブル１に誘導磁界を及ぼさないようにし、エイリアンクロストークを防止している。ここでは、一例として周波数１００ＭＨｚの場合を説明したが、シース３は、その使用周波数帯域における比透磁率が５以上であることが望ましい。
【００３５】
本実施の形態では、シース３における水酸化ニッケルの配合質量比を４０％とした。このときのシース３の比透磁率の周波数特性を図３に示す。図３に示すように、水酸化ニッケルの配合質量比を４０％とした場合、シース３の比透磁率は７以上となり、通常のポリマーシース（ポリオレフィンシース）と比べて、磁界を７倍以上の大きさに保ち、磁界の閉じ込め効果を７倍以上とすることが可能になり、対撚線２で発生した高周波電磁界を自己のシース３内に閉じ込めることが可能になる。なお、シース３における水酸化ニッケルの配合質量比を５０％とした場合、図２に示すように、周波数１００ＭＨｚにおける比透磁率が１０となり、使用周波数が１００ＭＨｚのとき、シース３内で対撚線２から誘導される高周波電磁界を１０倍の密度で補足し減衰させることが可能になる。
【００３６】
シース３の厚さは、シース３における水酸化ニッケルの配合質量比（磁界減衰域Ａ）に応じて、高周波電磁界を十分に減衰できる厚さに設定すればよい。例えば、本実施の形態のようにシース３の比透磁率を７以上とする場合、シース３の厚さは０．５ｍｍ以上（例えば０．６ｍｍ）とすればよい。本実施の形態では、ベースポリマとなるポリオレフィン樹脂としてＥＥＡ樹脂を用い、そのＥＥＡ樹脂に水酸化ニッケル粉体を配合質量比４０％混和したシース材料を用いて、押し出し成形により集合コア８の周囲に厚さ０．６ｍｍのシース３を形成し、外径７ｍｍのＬＡＮケーブル１を形成した。
【００３７】
また、シース３の酸素指数は、２１以上であることが望ましい。酸素指数を２１以上とするのは、空気中の酸素濃度が２１％で、酸素指数が２１以上であると、シース３が自己消炎機能を持ち、難燃ケーブルとして使用できるためである。
【００３８】
図４に示すように、シース３における水酸化ニッケルの配合質量比を３０％以上とすれば、酸素指数を２１以上にすることができる。
【００３９】
一般的に、難燃性能をケーブルに持たせる際には、酸素指数２５以上のシース材料を使用するので、ＬＡＮケーブル１を一般の難燃ケーブルとして使用する場合には、シース３の酸素指数が２５以上となるように、水酸化ニッケルの配合質量比を調整すればよい。このとき、シース３に、水酸化ニッケルに加えて、水酸化マグネシウム、水酸化アルミニウムの一方または両方をさらに追加配合することで、シース３の酸素指数を２５以上としてもよい。水酸化ニッケルに加え、さらに水酸化マグネシウムをシース３に追加配合した場合のシース３の酸素指数の特性を図４に併せて示す。
【００４０】
次に、ＬＡＮケーブル１のエイリアンクロストーク特性について説明する。
【００４１】
図１のＬＡＮケーブル１のＰＳＡＡＣＲＦ（Power Sum Attenuation to Alien Crosstalk Ratio Far-end）特性を図５に示す。なお、図５には、比較のため、ＴＩＡ／ＥＩＡ５６８−Ｃ−２  Ｃａｔｅｇｏｒｙ６Ａ規格のＰＳＡＡＣＲＦ規定値（規定値）、および、図８で説明した従来のＬＡＮケーブル８１（ＦＴＰ、従来例１）、図１０で説明した従来のＬＡＮケーブル１０１（ＵＴＰ、従来例２）、図１１で説明した従来のＬＡＮケーブル１１１（シース内側に突起を形成したＵＴＰ、従来例３）のＰＳＡＡＣＲＦ特性を併せて示している。従来のＬＡＮケーブル８１，１０１，１１１については、本発明のＬＡＮケーブル１と同様に、４対の対撚線を十字介在で隔てた構成とした。
【００４２】
ここで、ＰＳＡＡＣＲＦとは、図６に示すように、１本のＬＡＮケーブル１を中心としてその周囲に６本のＬＡＮケーブル１を束ね、外側の６本のＬＡＮケーブル１を誘導ケーブル６１、中心の１本のＬＡＮケーブル１を被誘導ケーブル６２としたときの、６本の誘導ケーブル６１から被誘導ケーブル６２内の１対の対撚線２の遠端（信号受信端）に漏話する漏話電力総和と信号受信電力(送信電力−対撚線２の伝送損失)の比である。漏話経路がほぼ同相経路であるので、ＰＳＡＡＣＲＦは、近端漏話（ＰＳＡＣＲＮ：ＡＳＴＭ  Ｄ４５６６−０８、２６章、式（２０））など各種経路の漏話のなかで最悪値になる。そのため、ＰＳＡＡＣＲＦ特性は、エイリアンクロストーク特性を評価する代表特性として使用されている。なお、ＰＳＡＡＣＲＦの測定は、ＡＳＴＭ  Ｄ４５６６−０８、２８章、式（２９）に準拠する。
【００４３】
図５に示すように、本実施の形態に係るＬＡＮケーブル１（本発明）では、シース３における水酸化ニッケルの配合質量比を４０％として比透磁率を７以上とし、通常のポリマーシースと比較して磁界の閉じ込め効果を７倍以上としているために、対撚線２で発生した高周波磁界を自己のシース３内に閉じ込め、他のＬＡＮケーブル１に誘導を生じにくく、高周波でのＰＳＡＡＣＲＦ劣化を防ぐことができる。
【００４４】
具体的には、本実施の形態に係るＬＡＮケーブル１では、ＴＩＡ／ＥＩＡ５６８−Ｃ−２  Ｃａｔｅｇｏｒｙ６Ａ規格のＰＳＡＡＣＲＦ規定値を１〜５００ＭＨｚの周波数帯域において満足することが可能である。
【００４５】
これに対して、従来例１のＬＡＮケーブル８１（図８）では、アルミフォイル等の金属遮蔽体８３により対撚線８２で発生する高周波電磁界を遮断できるので、ＰＳＡＡＣＲＦ規定値を満足している。しかし、この従来例１のＬＡＮケーブル８１では、上述のように、伝送装置受信機で受信するコモンモードノイズが大きいという問題がある。
【００４６】
また、従来例２のＬＡＮケーブル１０１（図１０）においては、シース８３の比透磁率が１であり、かつ、誘導側の対撚線８２と被誘導側の対撚線８２間の離隔距離が小さいため、ＰＳＡＡＣＲＦ規定値を満足することができない。
【００４７】
さらにまた、従来例３のＬＡＮケーブル１１１（図１１）においては、突起１１２でできる空気層の等価誘電率が小さく、誘導側の対撚線８２と被誘導側の対撚線８２間の離隔距離が大きいので、ＰＳＡＡＣＲＦ規定値を満足することができる。しかし、この従来例３のＬＡＮケーブル１１１では、上述のように、外径が大きく、敷設占積率が低いという問題がある。
【００４８】
以上の評価結果をまとめて表１に示す。なお、表１において、外径の評価（外径評価）は、外径が７．３ｍｍ以下のものを○（合格）、７．３ｍｍを超えるものを×（不合格）とした。７．３ｍｍ外径判断基準は、従来品より１０Ｇｂ／ｓ−Ｅ伝送と高性能なので従来品外径６．３ｍｍ外径を超えることは許容できるが遮蔽体が使用されるＦＴＰケーブルを超えることは、敷設占積率の点から許されないという現実の市場需要から由来している。また、エイリアンクロストークの評価（エイリアンＸＴ評価）は、周波数５００ＭＨｚでのＰＳＡＡＣＲＦが規定値（ＴＩＡ／ＥＩＡ５６８−Ｃ−２  Ｃａｔｅｇｏｒｙ６Ａ規格のＰＳＡＡＣＲＦ規定値）以上のものを○（合格）、規定値より小さいものを×（不合格）とした。コモンモードノイズの評価（コモンモードノイズ評価）については、金属遮蔽体がないものを○（合格）、あるものを×（不合格）とした。総合評価については、外径の評価、エイリアンクロストークの評価、およびコモンモードノイズの評価が全て合格であるものを二重丸（合格）、それ以外のものを×（不合格）とした。
【００４９】
【表１】
2013145673.tif 000003
【００５０】
表１に示すように、本発明のＬＡＮケーブル１は、外径の評価、エイリアンクロストークの評価、およびコモンモードノイズの評価が全て合格であり、本発明のＬＡＮケーブル１のみが、総合評価で合格となっている。
【００５１】
以上説明したように、本実施の形態に係るＬＡＮケーブル１では、シース３として、水酸化ニッケルを配合質量比２５％以上６０％以下含む樹脂からなるものを用いている。
【００５２】
シース３における水酸化ニッケルの配合質量比を２５％以上とすることにより、シース３の比透磁率を５以上とし、対撚線２で発生する高周波電磁界を自己のシース３内で減衰させること、すなわち、磁界減衰域Ａで磁界を減衰させて隣接するＬＡＮケーブル１に誘導磁界を及ぼさないことが可能となり、エイリアンクロストークを防止できる。さらに、ＬＡＮケーブル１では、シース３で高周波電磁界を十分に減衰させることができるので、外径を小さくすることが可能になる。
【００５３】
また、シース３における水酸化ニッケルの配合質量比を６０％以下とすることにより、シース３の破断伸びを１００％以上とし、ＬＡＮケーブルとしての機械特性を十分に確保することが可能になる。
【００５４】
さらに、ＬＡＮケーブル１では、金属遮蔽体を使用しない無遮蔽シースを採用しているため、伝送装置受信機で受信するコモンモードノイズを小さくできる。
【００５５】
つまり、本発明によれば、コモンモードノイズが小さく、外径が小さく、かつ、エイリアンクロストークを防止できるＬＡＮケーブル１を実現できる。ＬＡＮケーブル１によれば、特に、２５０ＭＨｚ以上の周波数帯での信号対クロストークノイズ（Ｓ／ＸＴ−Ｎ）を改善し、多値変調信号処理の伝送容量を拡大することができ、１０ＧＢＡＳＥ−Ｔ用の対撚線ケーブルとして好適に用いることができる。
【００５６】
さらにまた、シース３における水酸化ニッケルの配合質量比を調整し、シース３の酸素指数を２１以上とすることにより、シース３に難燃性を付与できる。
【００５７】
本発明のＬＡＮケーブル１は、１０ＧＢＡＳＥ−Ｔシステム配線用ＬＡＮケーブルとして用いることができる。この際、水平配線ケーブルとして用いることは勿論、難燃性を付与することにより、垂直配線ケーブルにも用いることが可能になる。ＬＡＮケーブル１ではエイリアンクロストークを防止できるので、複数のＬＡＮケーブル１を束ねて、同一ケーブルラックに水平敷設したり、同一ケーブルラダーに垂直敷設することが可能である。つまり、本発明によれば、敷設占積率が高く、かつ、１０ＧＢＡＳＥ−Ｔ伝送の伝送容量にも問題のないＬＡＮケーブル１を実現できる。
【００５８】
次に、本発明の他の実施の形態を説明する。
【００５９】
図７に示すＬＡＮケーブル７１は、図１のＬＡＮケーブル１と基本的に同じ構成であり、シース３の内周に断面三角形状の突起７２を複数設けることで、シース３の内側に誘電率が１に近い空気層（等価空気層）を形成し、この空気層とシース３の２層で、対撚線２で発生する高周波電磁界を遮断し、エイリアンクロストークを防止するように構成したものである。
【００６０】
ＬＡＮケーブル７１では、突起７２を設けて空気層を形成することにより、外径が若干大きくなってしまうものの、隣接するＬＡＮケーブル１の対撚線２間の離隔距離を大きくでき、この離隔距離と、空気層による高周波電磁界の遮蔽効果により、エイリアンクロストーク特性をより良好とすることが可能になる。
【００６１】
本発明は上記実施の形態に限定されるものではなく、本発明の趣旨を逸脱しない範囲で種々の変更を加え得ることは勿論である。
【符号の説明】
【００６２】
１  ＬＡＮケーブル
２  対撚線
３  シース
４  導体
５  絶縁体被覆
６  被覆線
７  十字介在
８  集合コア
【図１】
2013145673.tif 000004
【図２】
2013145673.tif 000005
【図３】
2013145673.tif 000006
【図４】
2013145673.tif 000007
【図５】
2013145673.tif 000008
【図６】
2013145673.tif 000009
【図７】
2013145673.tif 000010
【図８】
2013145673.tif 000011
【図９】
2013145673.tif 000012
【図１０】
2013145673.tif 000013
【図１１】
2013145673.tif 000014